(57)【要約】【課題】本発明は、外来者がドアに接近するのを感知して適切に対応できるようにするとともに、ドアまたはその近傍に破壊行為が行われた場合には直ちに警報を発生できるようにしたドア用防犯装置を提供することを課題とする。【解決手段】ドアまたはその近傍の外部側に装備される本体ケーシング１に、赤外線センサーのごとき人感センサー２が装備され、同センサー２からの検出信号に応じて、本体ケーシング１の電気式文字表示部７には外来者に対するメッセージが表示されるとともに、音声記録再生装置８のスピーカーから所要の音声が発生する。ドアまたはその近傍には圧電ピックアップが装着され、その検出信号が所定値を超えると、警報音発生器１５から警報音が発生したり、閃光発生器１６から断続的に閃光が発生する。【選択図】　図１
2004127068.tif 000002
【特許請求の範囲】
【請求項１】
正面に電気式文字表示部を有するとともに内部に音声記録再生装置を有してドアまたはその近傍の外部側に装備される本体ケーシングと、同本体ケーシングの外側に装着された人感センサーとを備え、上記本体ケーシングの内部に、上記人感センサーからの検出信号を受けて作動し導通状態となるスイッチと、同スイッチの作動に伴い、上記電気式文字表示部に文字を表示し、且つ、上記音声記録再生装置のスピーカーから所要の音声を発生するための配線が施されていることを特徴とする、ドア用防犯装置。
【請求項２】
請求項１に記載のドア用防犯装置において、上記スイッチの作動に伴い上記音声記録再生装置に外来者の音声を録音できるようにしたマイクロホンが付設されていることを特徴とする、ドア用防犯装置。
【請求項３】
請求項２に記載のドア用防犯装置において、上記マイクロホンを上記音声記録再生装置のスピーカーから発生すべき音声の録音にも用いるための切替スイッチが設けられていることを特徴とする、ドア用防犯装置。
【請求項４】
請求項１〜３のいずれか１つに記載のドア用防犯装置において、上記ドアまたはその近傍に圧電ピックアップを備え、同圧電ピックアップの検出信号が所定値を超えると作動して導通状態となる第２のスイッチと、同第２のスイッチの導通状態で警報音を発生する警報音発生器とが装備されていることを特徴とする、ドア用防犯装置。
【請求項５】
請求項４に記載のドア用防犯装置において、上記第２のスイッチの導通状態で閃光を断続的に放射するための閃光発生器が装備されていることを特徴とする、ドア用防犯装置。
【発明の詳細な説明】
【０００１】
【発明の属する技術分野】
本発明は、ドア用防犯装置に関し、特にドアまたはその近傍の外部側に装備して不審者の侵入を防止できるようにしたドア用防犯装置に関する。
【０００２】
【従来の技術】
従来のドア用防犯装置としては、カメラにより外来者を撮影して屋内の表示器の画面に表示するようにしたものが用いられているが、このような防犯カメラ装置では著しく高価なものとなり、また家人が外出中の場合、不審者の侵入防止のためには役立たないという不具合がある。
【０００３】
【発明が解決しようとする課題】
そこで本発明は、外来者がドアに接近するのを感知して適切に対応できるようにするとともに、ドアまたはその近傍に破壊行為が行われた場合には直ちに警報を発生できるようにしたドア用防犯装置を提供することを課題とする。
【０００４】
【課題を解決するための手段】
前述の課題を解決するため、本発明のドア用防犯装置は、正面に電気式文字表示部を有するとともに内部に音声記録再生装置を有してドアまたはその近傍の外部側に装備される本体ケーシングと、同本体ケーシングの外側に装着された人感センサーとを備え、上記本体ケーシングの内部に、上記人感センサーからの検出信号を受けて作動し導通状態となるスイッチと、同スイッチの作動に伴い上記電気式文字表示部に文字を表示し、且つ、上記音声記録再生装置のスピーカーから所要の音声を発生するための配線が施されていることを特徴としている。
【０００５】
また本発明のドア用防犯装置は、上記スイッチの作動に伴い上記音声記録再生装置に外来者の音声を録音できるようにしたマイクロホンが付設されていることを特徴としている。
【０００６】
さらに、本発明のドア用防犯装置は、上記マイクロホンを上記音声記録再生装置のスピーカーから発生すべき音声の録音にも用いるための切替スイッチが設けられていることを特徴としている。
【０００７】
また、本発明のドア用防犯装置は、上記ドアまたはその近傍に圧電ピックアップを備え、同圧電ピックアップの検出信号が所定値を超えると作動して導通状態となる第２のスイッチと、同第２のスイッチの導通状態で警報音を発生する警報音発生器とが装備されていることを特徴としている。
【０００８】
さらに、本発明のドア用防犯装置は、上記第２のスイッチの導通状態で閃光を断続的に放射するための閃光発生器が装備されていることを特徴としている。
【０００９】
上述の本発明のドア用防犯装置では、ドアに人が近づくと、人感センサーが作動してスイッチが導通状態となるのに伴い、本体ケーシングの正面の電気式文字表示部に防犯システムが作動開始した旨を表示したり、適宜のメッセージを表示したりして、破壊行為や不法侵入などの犯行の発生を予防することができ、さらに音声記録再生装置のスピーカーから訪問者への挨拶を述べたり用件の録音を促したりして間接的に犯罪の防止を図ることができる。
【００１０】
また、上記スイッチの作動に伴い上記音声記録再生装置に外来者の音声を録音できるようにしたマイクロホンが付設されていると、外来者の反応が音声により確認できるようになる。
【００１１】
そして、上記マイクロホンを上記音声記録再生装置のスピーカーから発生すべき音声の録音にも用いるための切替スイッチが設けられている場合は、人感センサーの作動に伴い上記スピーカーから外来者に伝えるためのメッセージの入替を簡便に行えるようになる利点が得られる。
【００１２】
また、上記ドアまたはその近傍に圧電ピックアップを備えて、同圧電ピックアップの検出信号が所定値を超えた際に第２のスイッチが導通状態となって警報音発生装置から警報音を発生するようになっていると、ドアや錠前などに過激な外力が作用した場合に、犯人に対して迅速に警告を与えることができ、これにより屋内への侵入を未然に防止することができる。
【００１３】
さらに、上記第２のスイッチの導通状態で閃光を断続的に放射しうる閃光発生器が装備されている場合は、上記犯人に対する警告が一層強く働くようになる。
【００１４】
【発明の実施の形態】
以下、図面により本発明の一実施形態としてのドア用防犯装置について説明すると、図１はその正面図、図２はその平面図、図３はその斜視図、図４はそのドア近傍への取付け状態を示す正面図、図５はその電気系統を示すブロック図である。
【００１５】
図１〜３に示すように、このドア用防犯装置の本体ケーシング１は、その外側下部に赤外線センサーまたは遠赤外線センサーのごとき人感センサー２を備えていて、人が近づいた場合に同センサー２から人物接近の検出信号を発生できるようになっている。そして、本体ケーシング１は図４に示すごとくドア３またはその近傍の外部側に装備されており、ドア３に近づく人に人感センサー２を向けられるように、同センサー２は図２に示す鉛直軸４のまわりに回動調整できるように、首振り式に構成されている。なお、人感センサー２の不使用時には、これに着脱式の赤外線遮断用カバーが掛けられる。
【００１６】
また、人感センサー２からの検出信号を受けて作動し導通状態となるスイッチ５が、図５に示すごとく、電源６と電気式文字表示部７との間に介装されるようにして接続されており、電気式文字表示部７としては、照明器具の点灯により文字の浮き出る形式のものか、または液晶式のものが用いられる。
【００１７】
さらに、スイッチ５の導通状態では音声記録再生装置８が作動して、訪問者に対し言葉をかけるためのスピーカー９が作動するように、配線が施されている。そして、外来者が応答できるようにマイクロホン１０が設けられ、その音声は音声記録再生装置８に記録される。
【００１８】
また、必要に応じマイクロホン１０を音声記録再生装置８のスピーカー９から発生すべき音声の録音にも用いるため、切替スイッチ１１が設けられている。
【００１９】
一方、図４に示すように、ドア３またはその近傍に、特に錠前１２の近傍において、歪センサーとしての圧電ピックアップ１３が装着されており、図５に示すごとく、圧電ピックアップ１３の検出信号が所定値を超えると作動して導通状態になる第２のスイッチ１４が設けられて、同スイッチ１４の導通状態で、電源６からの電力により、警報音としてのサイレンまたは「ドロボー」等の音声を発生する警報音発生器１５や、閃光を発生する閃光発生器（フラッシュ）１６が設けられている。
【００２０】
なお、本体ケーシング１の横幅，高さおよび厚さは、それぞれ２０ｃｍ，１０ｃｍおよび５ｃｍ程度とされる。
また、文字表示部７の内部に発光体を設ける場合は、発光ダイオード（ＬＥＤ）が用いられるが、通常の電球を用いてもよい。
【００２１】
上述の本実施形態のドア用防犯装置では、ドア３に人が近づくと、人感センサー２が作動してスイッチ５が導通状態となるのに伴い、本体ケーシング１の正面の電気式文字表示部７に防犯システムが作動開始した旨を表示したり、適宜のメッセージを表示したりして、破壊行為や不法侵入などの犯行の発生を予防することができ、さらに音声記録再生装置８のスピーカー９から訪問者への挨拶を述べたり用件の録音を促したりして間接的に犯罪の防止を図ることができる。
【００２２】
また、スイッチ５の作動に伴い音声記録再生装置８に外来者の音声を録音できるようにしたマイクロホン１０が付設されていると、外来者の反応が音声により確認できるようになる。
【００２３】
そして、マイクロホン１０を音声記録再生装置８のスピーカー９から発生すべき音声の録音にも用いるための切替スイッチ１１が設けられているので、人感センサー２の作動に伴いスピーカー９から外来者に伝えるためのメッセージの入替を簡便に行えるようになる利点が得られる。
【００２４】
また、ドア３またはその近傍に圧電ピックアップ１３を備えて、同圧電ピックアップ１３の検出信号が所定値を超えた際に第２のスイッチ１４が導通状態となって警報音発生装置１５から警報音を発生するようになっているので、ドア３や錠前１２などに過激な外力が作用した場合に、犯人に対して迅速に警告を与えることができ、これにより屋内への侵入を未然に防止することができる。
【００２５】
さらに、第２のスイッチ１４の導通状態で閃光を断続的に放射しうる閃光発生器１６が装備されているので、犯人に対する警告が一層強く働くようになる。
【００２６】
このようにして、本実施形態のドア用防犯装置によれば、外来者がドア３に接近するのを感知して適切に対応することが可能になり、ドア３や錠前１２などに破壊行為が行われる場合には直ちに警報を発生できるようになって十分な防犯機能を発揮することができる。
【００２７】
【発明の効果】
以上詳述したように、本発明のドア用防犯装置によれば次のような効果が得られる。
（１）　ドアに人が近づくと、人感センサーが作動してスイッチが導通状態となるのに伴い、本体ケーシングの正面の電気式文字表示部に防犯システムが作動開始した旨を表示したり、適宜のメッセージを表示したりして、破壊行為や不法侵入などの犯行の発生を予防することができ、さらに音声記録再生装置のスピーカーから訪問者への挨拶を述べたり用件の録音を促したりして間接的に犯罪の防止を図ることができる。
（２）　上記スイッチの作動に伴い上記音声記録再生装置に外来者の音声を録音できるようにしたマイクロホンが付設されていると、外来者の反応が音声により確認できるようになる。
（３）　上記マイクロホンを上記音声記録再生装置のスピーカーから発生すべき音声の録音にも用いるための切替スイッチが設けられている場合は、人感センサーの作動に伴い上記スピーカーから外来者に伝えるためのメッセージの入替を簡便に行えるようになる利点が得られる。
（４）　上記ドアまたはその近傍に圧電ピックアップを備えて、同圧電ピックアップの検出信号が所定値を超えた際に第２のスイッチが導通状態となって警報音発生装置から警報音を発生するようになっていると、ドアや錠前などに過激な外力が作用した場合に、犯人に対して迅速に警告を与えることができ、これにより屋内への侵入を未然に防止することができる。
（５）　上記第２のスイッチの導通状態で閃光を断続的に放射しうる閃光発生器が装備されている場合は、上記犯人に対する警告が一層強く働くようになる。
（６）　上記各項により、外来者がドアに接近するのを感知して適切に対応することが可能になり、ドアや錠前などに破壊行為が行われる場合には直ちに警報を発生できるようになって防犯機能を十分に発揮することができる。
【図面の簡単な説明】
【図１】本発明の一実施形態としてのドア用防犯装置の正面図である。
【図２】図１のドア用防犯装置の平面図である。
【図３】図１，２のドア用防犯装置の斜視図である。
【図４】上記装置をドア近傍に取付けた状態を示す正面図である。
【図５】上記装置の電気系統を示すブロック図である。
【符号の説明】
１　本体ケーシング
２　人感センサー
３　ドア
４　鉛直軸
５　スイッチ
６　電源
７　電気式文字表示部
８　音声記録再生装置
９　スピーカー
１０　マイクロホン
１１　切替スイッチ
１２　錠前
１３　圧電ピックアップ
１４　第２のスイッチ
１５　警報音発生器
１６　閃光発生器
【図１】
2004127068.tif 000003
【図２】
2004127068.tif 000004
【図３】
2004127068.tif 000005
【図４】
2004127068.tif 000006
【図５】
2004127068.tif 000007